(57)【要約】      （修正有）【課題】糸のみで美しく編みこまれた、細糸の素材感が心地が良く、設置した状態で常にベッド部が解放され、座ることが容易な略三角形状をしたハンモックを提供する。【解決手段】０．５〜２ｍｍ程度の太さの糸のみを使用し編み込まれてできており、細かな糸の網の目で構成されるベッド部の設置された状態の形状は、三辺共が中心に向かって緩やかに弓なりに引き寄せられた略三角形の形状をしており、その三角の各頂点が固定端となる取手を備える。【選択図】図１
0003203985.tif 000002
【実用新案登録請求の範囲】
【請求項１】
０．５〜２ｍｍ程度の糸のみを使用し編み込まれてできており、細かな糸の網の目で構成されるベッド部の設置された状態の形状は、三角形の三辺共が中心に向かって緩やかに弓なりに引き寄せられた特徴的な形をしている略三角形の形状をしており、その三角の各頂点が固定端となる取手を備えた三角形状ハンモック。
【請求項２】
０．５〜２ｍｍ程度の糸のみで形成されたハンモックで、その頂点を平面上で繋いだ場合に、略正三角形の形状を持ち、設置された状態で人や物等がのっていない状態でも、三角の中心エリアが重力方向に放物線を描くように緩やかに弓なりに垂れる、請求項１に記載の三角形状ハンモック。
【請求項３】
０．５〜２ｍｍ程度の糸を編み込み、寝そべる人体を１名ないし２名を支持できる大きさを持つ、略三角形の形状に編まれた該ハンモックは、そのベッド部の三角形状の中心から、３つの頂点、つまり３つの取手の方向にそれぞれ向かって、Ｙの字状に筋目が入っており、その筋目によってハンモックの強度を担保する形態をしている、請求項１に記載の三角形状ハンモック。
【考案の詳細な説明】
【考案の詳細な説明】
【０００１】      本考案は糸で編まれた通称メキシカンハンモックと言われるハンモックをベースに、新しい形状の三角形状ハンモックに関する。
【背景技術】
【０００２】      従来の一般的なハンモックは、使用の際に設置するための固定端は２点で設置され、船型をしている。【０００３】      また、通称メキシカンハンモックと言われる南米発祥のハンモックは、全体として０．５〜２ｍｍ程度の細い糸を編み込み、ベッド部が編み目で構成されている。このハンモックのベッド部は通気が良く、また景色が透き通り、０．５〜２ｍｍ程度の細めの糸で細かな網の目が作られているために肌触りが心地良いと言われるハンモックに関する。
【考案の概要】
【考案が解決しようとする課題】
【０００３】      通称メキシカンハンモックと言われるハンモックは、糸の太さ０．５〜２ｍｍ程度の糸で編まれた、一般的によく流通している２点固定式の船型の形状である。このハンモックは、設置時に取付け固定端となる取手部分２点に対し、糸以外のプラスチックや樹脂のような強い支持体を固定部品として内部に入れることはあるが、ベッド部やハンモックの支持部分や取手部分の表面は、必ず糸のみを使用する。人や物等がこの船状のハンモックに乗っていない状態では、ベッド部は２方向に引っ張られ、束の状態に畳まれてしまう。この特徴により、人や物等が乗っていない状態では、線状に一文字の束にまとまった状態になるため、使用していない時には邪魔にならないという点で利点があるが、その畳まれた状態から第一人目がこのハンモックに乗り込む時やクッションや毛布といった物等を置く場合にも、そのまとまって畳まれたベッド部を一度広げて乗り込むという行為が始めに必要となり、ハンモックに乗ったことのないハンモック未経験者、お年寄り、または子供には、サポートする人が居ない状態で乗り込むことが難しいという欠点があった。またこういったハンモックの特徴から、特に日本では公共空間でのハンモックの利用はあまり見られない。【０００４】      本考案のハンモックは、以上のような従来の欠点を鑑み、通称メキシカンハンモックの素材の使い方をベースとして、第一人目が乗り込みやすく、またクッションや毛布といった物も置きやすく、ハンモック初心者の方や、お年寄り、子供も乗り込みやすく、乗ってみたいと感じるハンモックを提供することを目的としている。また、これらの解決と共に、特に公共空間や施設等で、よりハンモックを有効的に利用できるようになる。
【課題を解決するための手段】
【０００５】      上記目的を達成するために、糸のみで全体を作り、糸を編み込んで製作するという素材の扱い方は従来の通称メキシカンハンモックと同様で、形状において一般的な従来の船型ではなく、固定端を３点設けた略三角形状のベッド部を持つハンモックを形成する。【０００６】      本考案のハンモックが設置された状態で、ハンモック上に人が乗り込んでいない状態やハンモック上に物等が置かれていない状態でも、従来型のハンモックのように束ねられてしまうことなく、常にベッド部が解放され、座るための空間が設けられている状態になるハンモック。【０００７】    全体として糸のみでできあがっており、その糸を編み込んで結び目のない細かな網の目がによってベッド部が作られているハンモック。【０００８】    設置された状態で寝そべる人体を１名ないし２名程度を支持できる広さのベッド部を持ち、設置された状態の形状は略三角形状であるため、三方向から乗り込むことが可能である。設置された３点の固定端は、その３点を平面上で繋いだ場合に、略正三角形の形状を持ち、人が乗っていない状態でも、ハンモックの中心が重力方向に放物線を描くように弓なりに垂れているハンモック。【０００９】    該ハンモックは、一般的な素材として、アクリル、絹、綿、コットン、ポリエステル、ナイロン等の、０．５〜２ｍｍ程度の細い糸をに採用し、寝そべる人体を支持できる大きさと強度をを持つ略三角形の形状に糸が編み込まれ、全体が形作られている。糸で編まれた該ハンモックのベッド部は、その三角形状の中心から、３つの取手それぞれの方向に向かって、Ｙの字状に筋目が入っており、の筋目は糸のみで編ま込まれたハンモックの強度を担保するために多めに糸を通されることで入るという製法としている。
【考案の効果】
【００１０】      一般的な通称メキシカンハンモックは、あらゆる種類のハンモックに使用される糸の中でも比較的細い０．５〜２ｍｍ程度の糸のみでハンモック全体が形成され、それら糸を美しく編み込み、細かな編み目を作っているため、非常に座り心地が良く、長時間座ることが可能なハンモックであり、本考案のハンモックはその素材の扱い方をベースに形成するため、座り心地は従来の通称メキシカンハンモックと同程度かそれ以上の心地よさを体感することができる。【００１１】    該ハンモックのベッド部には結び目がなく、０．５〜２ｍｍ程度の糸を使用し、細かな編み目でベッド部全体がつくられているため、肌触りが良く、肌に食い込むことなく、身体の形にフィットし、また、ベッド部が網の目のため通気が良く、寝心地良いハンモック。ベッド部の網の目は、視覚的にも景色が透き通り、美しいく奇麗である。【００１２】      寝そべる１名ないし２名の人体を支持できる大きさのベッド部をもつ本考案のハンモックは、三角形状を採用することにより３方向から乗り込むことが可能で、より座り込みやすく降りやすい形を追求した形状であり、利用者達が精神的にも乗り込む気持ちを誘い、乗ってみたいと感じることができる。【００１３】      また、その形状の特徴は三角形を囲む辺の、三辺ともが中心に向かって緩やかに弓なりに引き寄せられた曲線の形状をしているため、人々が該ハンモックに乗り込みやすくなる。【００１４】      上記の通り、寝心地良さと乗り込みやすさに加え、従来の船型のハンモックではなく、三角形状をしているため、ハンモックの上に人が乗り込んでいない状態や何かしらの物がハンモックの上に物が置かれていない状態にも関わらず、従来のハンモックのように一文字の線状態に束ねられてしまうことなく常にベッド部が解放され、空間が設けられるため、ハンモックに乗ったことのないハンモック未経験者や、お年寄り、または子供には、サポートする人が居ない状態でも安全に乗り込むことが可能である。【００１５】      また該ハンモックが設置された場所には三角形の空間が現れるため、何もない空間に場を作りやすく、人が集まる場や空間をすぐに作ることが可能であり、これまで多かった個人的な使用用途としてのハンモックのみならず、公共的な場所での利用が可能である。
【図面の簡単な説明】
【００１６】
【図１】本考案の実施例を示す平面図
【図２】図１の正面図
【図３】図１の左側面図
【図４】本考案の実施例の固定端の説明図
【図５】本考案の実施例を示すパース図
【図６】本考案の実施例の設置位置に関する説明図
【本考案を実施するための形態】
以下図面に示す実施例により、本考案を詳細に説明する。
【００１７】      図１の本考案の実施例において、該ハンモックのベッド部（１）は、人が十分に寝そべることのできる広さをもつ略三角形状をしたハンモック本体（１３）で、通称メキシカンハンモックと呼ばれるハンモックに広く使われるような０．５〜２ｍｍ程度の細い糸を編み込んで編み目を作り、全体が形成されている。
【００１８】      上記のように糸のみで構成されたハンモック本体（１３）に使用する糸の素材として、０．５〜２ｍｍ程度のアクリル、絹、コットン、ポリエステル、ナイロン等が使用され、糸によって形成されたハンモックは１名ないし２名の人体が乗って、支持できる程度の丈夫な糸のみでできている。また、これらの糸は、人が乗ったときに心地よい網の目に編み込まれ、ベッド部（１）ができている。
【００１９】      なお、ハンモック本体（１３）を形成する糸は、丈夫でかつ２ミリメートル以下の太さで、できあがったハンモックが人体の重さに耐えうる丈夫な糸であればどんな材質の糸でも使用する。
【００２０】      寝そべる人体を支持できる大きさを持つ該ハンモックの形状の特徴として、該ハンモックの固定端である３頂点を繋ぐと、略正三角形の形をしており、図５に示すように、その三角形を囲む辺（１１）は、図１に示すように、三辺ともが、中心（５）に向かって弓なり形状（７）に引き寄せられた形をした、特殊な三角の形状をしている。これは、視覚的に、座りやすさを演出するためということと、最も力がかかるＹの字（８）エリアへの付加を軽減させるためでもある。
【００２１】      糸で編まれた該ハンモックのベッド部は、その三角形状の中心（５）から、３つの固定端（２、３、４）方向に向かって、図６に示すように、Ｙの字状に筋目（１４）が入っており、糸のみで編ま込まれたハンモックの強度を担保するために多めに糸が編み込まれることによってこの筋目（１４）が出来上がってる。
【００２２】      ハンモック（１３）の三角形状が持つ弓形辺（［図５］、１１）によって、３方向から乗り込むことが可能で、降りるときも３方向から降りることができ、自由度の高い空間構成が可能である。
【００２３】      ベッド部（１）と固定端を繋いでいる支持糸（６）は全体を糸でつくられたハンモック（１３）の形成上不可欠となる箇所で、その支持糸の本数によってハンモックのベッド部の広さが変わり、形状に関係する。なおこの支持糸が絡まってしまうと、該ハンモックの破損に繋がるため、この支持糸（６）の箇所は人が乗りこむのには適さない。
【００２４】      該ハンモックの取手（２、３、４）部分は内部に支持体としてプラスチックや樹脂のような糸より丈夫なものを強度強化のたまに固定部品として入れ込み表面を糸で覆うこともある。
【００２５】      該ハンモックを取付ける際には、該ハンモックの取手（２、３、４）を、図４に示すように、耐荷重に問題のない取付け用のローブ（９）等で結び、構造物の木部や木、鉄骨、建物の構造材等に取付け、固定することができる。
【００２６】      図６の本考案の実施例の設置位置に関して、該ハンモックを設置する際に、注意する点として、図４に示す該ハンモックの固定端（１０）は３点（２、３、４）あるため、それらに対し、相手となる３箇所の構造物の木部や木、鉄骨、建物の構造材等のハンモックを固定するための支持体（１２）の固定端を用意する必要がある。また、その支持体（１２）の固定端の配置位置としては、それら３点の位置を結ぶライン（１５）が、正三角形を描けるような位置に設けることが理想である。ただし、正三角形ではなく、二等辺三角形や、正三角形が少し崩れた三角形の形状でも、ハンモックとしてはある程度までは機能するので、あとは使用者の乗り心地と判断に任せるところとなる。
【産業上の利用可能性】
【００２７】本考案のハンモックは、ハンモックの上に人が乗り込んでいない状態、もしくは何かしらの物等がハンモックの上に置かれていない状態でも、従来のハンモックのように束ねられ畳まれてしまうことなく、常にベッド部が解放され、空間が設けられるため、商業施設の体憩コーナー等の公共空間や、幼児や児童の集まる保育の遊び場、もしくは介護施設におけるお年寄りためのレクリエーション施設等に使用し、人々が集まる場を提供することができる。【００２８】  １、心地よい素材感を持ち、２、広がりのある空間をつくり出せる本考案のハンモックの性質によって、これまでにない新たな空間の使い方を考え、導き出せる可能性を持つ。【００２９】上記の例としては、１、糸の網の目の風通しの良さから衛生上と、開かれた座面のため母と乳児が一緒に乗り込みやすく、乳児の寝床としても有効的である。２、人が乗るためのハンモックとしてだけではなく、日よけのためのシェードとしての使用も可能である。
【符号の説明】
【００３０】１：ハンモックのベッド部、  ２、３、４：ハンモックの固定端、  ５：ハンモックの中心、  ６：ハンモックの支持糸、  ７：ハンモックのベッド部輪郭の辺の引っ込み具合、  ８：ハンモックの中心から固定端方向を結ぶ付加がかかりやすいライン、  ９：ハンモックを取付けるロープ、  １０：ハンモックの固定端の拡大、  １１：ハンモックの周囲の弓型辺、  １２：ハンモックを固定するための支持体、  １３：本考案のハンモック、  １４：ハンモックの中心から固定端方向に向かう筋目、  １５、ハンモックを固定するための支持体の位置を結ぶライン
【図１】
0003203985.tif 000003
【図２】
0003203985.tif 000004
【図３】
0003203985.tif 000005
【図４】
0003203985.tif 000006
【図５】
0003203985.tif 000007
【図６】
0003203985.tif 000008
【手続補正書】
【提出日】平成27年11月30日(2015.11.30)
【手続補正２】
【補正対象書類名】実用新案登録請求の範囲
【補正対象項目名】全文
【補正方法】変更
【補正の内容】
【実用新案登録請求の範囲】
【請求項１】
０．５〜２ｍｍ程度の太さの糸のみを使用し編み込まれてできており、細かな糸の網の目で構成されるベッド部の設置された状態の形状は、三角形の三辺共が中心に向かって緩やかに弓なりに引き寄せられた特徴的な形をしている略三角形の形状をしており、その三角の各頂点が固定端となる取手を備えた三角形状ハンモック。
【請求項２】
０．５〜２ｍｍ程度の太さの糸のみで形成されたハンモックで、その頂点を平面上で繋いだ場合に、略正三角形の形状を持ち、設置された状態で人や物等がのっていない状態でも、三角の中心エリアが重力方向に放物線を描くように緩やかに弓なりに垂れる、請求項１に記載の三角形状ハンモック。
【請求項３】
０．５〜２ｍｍ程度の太さの糸を編み込み、寝そべる人体を１名ないし２名を支持できる大きさを持つ、略三角形の形状に編まれた該ハンモックは、そのベッド部の三角形状の中心から、３つの頂点、つまり３つの取手の方向にそれぞれ向かって、Ｙの字状に筋目が入っており、その筋目は、他の部分と比べて多めに糸が編み込まれてできており、またそのことによってハンモックの強度を担保する形態をしている、請求項１に記載の三角形状ハンモック。